(57)【要約】      （修正有）【課題】必要以上に厚くなることなく、紙幣の多寡によらず有効に結束できる小型で薄いカードホルダー付きの財布を提供する。【解決手段】カードホルダー４により紙幣を挟持する中央部２と、該中央部２の左右にそれぞれ連接し折りたたみ時にそれぞれ中央部側に折り返す折り返し部３により財布を形成する。該カードホルダーの底部と該中央部の底部とは、バネ機構５を介して接続する。そして、カードホルダー４の前面の一部は切り欠かれており、この切り欠かれた部分に隣接してカードホルダーの両側面から前面に延出した袖部９を設ける。【選択図】図１
0003165308.tif 000002
【実用新案登録請求の範囲】
【請求項１】
カードホルダーにより紙幣を挟持する中央部と、該中央部の左右にそれぞれ連接し折りたたみ時にそれぞれ中央部側に折り返す折り返し部とからなる財布であって、
該カードホルダーの底部と該中央部の底部とは、バネ機構を介して接続されていることを特徴とする財布。
【請求項２】
上記カードホルダーの前面の一部は切り欠かれており、この切り欠かれた部分に隣接してカードホルダーの両側面から前面に延出した袖部を有することを特徴とする請求項１に記載の財布。
【請求項３】
上記バネ機構は、カードホルダーの上記袖部にまで延在していることを特徴とする請求項２に記載の財布。
【請求項４】
上記カードホルダーのカード挿入部には、カードの落下防止のためのストッパーが設けられていることを特徴とする請求項２又は３に記載の財布。
【請求項５】
上記折り返し部の一方には、折りたたみ時に他方の折り返し部及び上記中央部を結束する弾性部材が設けられていることを特徴とする請求項１ないし４のいずれか１項に記載の財布。
【考案の詳細な説明】
【技術分野】
【０００１】
本考案は、財布、特にカードホルダー付きの財布に関する。
【背景技術】
【０００２】
キャッシュカード、クレジットカード等のカードホルダー付きの財布については、種々の形態の財布が販売されており、またこれらに関して特許文献も多数公開されている。例えば特許文献１、２、４などが提案されている。
また紙幣を財布に固定するため、財布の中央部に紙幣挟着クリップを設けることも提案されている（特許文献３参照）。
【０００３】
ところが従来のカードホルダー付きの財布では、次のような問題がある。
（１）従来の財布では多くの紙幣を収容しようとすると、財布が十分広がらないという問題がある。また紙幣が無い場合にも逆に財布が小さくならないという問題がある。
（２）財布に装着されたカード収納ポケット付のカードホルダーは、カードの取り出しには便利であるが、カードの枚数が多くなるとカードの厚みに加えてカード収納ポケットの厚みが加わることにより、財布の厚みが厚くなる問題がある。またカードの枚数が多いため一つのカード収納ポケットに複数のカードを収容するような場合には後ろ側のカードは取り出しにくいという問題がある。
（３）カードの取り出しを容易にするためには、カード収納ポケットを階段状に形成する必要があるがこれにより、財布が必要以上の大きさとなる問題がある。
（４）従来の財布では折りたたんだ財布をボタン等でロックしているが、ボタンの位置が固定されているため、多数の紙幣を入れた場合ボタンがかからなくなり、逆に紙幣が無い場合には財布がピッタリと閉まらないという問題がある。
【先行技術文献】
【特許文献】
【０００４】
【特許文献１】実開平５−９３２３８号公報
【特許文献２】実用新案登録第２５７１１４９号公報
【特許文献３】実用新案登録第３０５２５２２号公報
【特許文献４】実用新案登録第３０７０２１４号公報
【考案の概要】
【考案が解決しようとする課題】
【０００５】
したがって本考案は、上記の問題点を解決し、小型で薄いカードホルダー付きの財布を提供することを課題とする。
【課題を解決するための手段】
【０００６】
本考案の課題を解決するための手段は、次のとおりである。
（１）カードホルダーにより紙幣を挟持する中央部と、該中央部の左右にそれぞれ連接し折りたたみ時にそれぞれ中央部側に折り返す折り返し部とからなる財布であって、
該カードホルダーの底部と該中央部の底部とは、バネ機構を介して接続されていることを特徴とする財布。
（２）上記カードホルダーの前面の一部は切り欠かれており、この切り欠かれた部分に隣接してカードホルダーの両側面から前面に延出した袖部を有することを特徴とする上記（１）に記載の財布。
（３）上記バネ機構は、カードホルダーの上記袖部にまで延在していることを特徴とする上記（２）に記載の財布。
（４）上記カードホルダーのカード挿入部には、カードの落下防止のためのストッパーが設けられていることを特徴とする上記（２）又は（３）に記載の財布。
（５）上記折り返し部の一方には、折りたたみ時に他方の折り返し部及び上記中央部を結束する弾性部材が設けられていることを特徴とする上記（１）ないし（４）のいずれかに記載の財布。
【考案の効果】
【０００７】
本考案の財布によれば、次のような効果がある。
（１）カードホルダーを中央部に配置しかつ左右から折りたためるようにしたため、カードサイズ程度の小型の財布が得られる。また財布の厚みは、カードホルダーの厚みにより決められており、さらに従来の財布のようなカード収納ポケットの厚みが加わることがないため、必要以上に厚くなることはない。
（２）カードホルダーの底部と財布の中央部の底部とは、バネ機構を介して接続されているため、紙幣はこのバネ機構により財布とカードホルダーとの間に有効に挟持される。
（３）カードホルダーの前面の一部には切り欠かれた部分及び両袖部があり、カードホルダーに収納されているカードを両袖部に沿って引き上げることにより簡単に取り出すことができる。
（４）両袖部にはバネ機構が延在されているため、カードはバネ機構によって、カードホルダー内で押圧されており、カードホルダー外に飛び出すことがない。
（５）カードホルダーのカード挿入部にはカードの落下防止のためのストッパーが設けられているため、上記（４）のバネ機構と相俟ってカードの落下が防止される。
（６）財布の折り返し部の一方には、折りたたみ時に他方の折り返し部及び上記中央部を結束する弾性部材が設けられているため、紙幣の多寡によらず有効に結束できる。
【図面の簡単な説明】
【０００８】
【図１】本考案に係る財布の模式図である。
【図２】本考案に係る財布のバネ機構の模式図である。
【図３】本考案に係る財布の内側展開写真である。
【図４】本考案に係る財布の外側展開写真である。
【図５】本考案に係る財布の折りたたみ時の写真である。
【考案を実施するための形態】
【０００９】
本考案の実施の形態について図面を参照して詳細に説明する。
図１は、本考案に係る財布の模式図である。
財布１は、カードホルダー４により紙幣を挟持する中央部２と、該中央部の左右にそれぞれ連接し折りたたみ時にそれぞれ中央部側に折り返す折り返し部３とから構成されている。
本考案に係る財布は、カードホルダーを中央部に配置しかつ左右から折りたためるようにしたため、カードサイズ程度の小型の財布が得られる。また財布の厚みは、カードホルダーの厚みにより決められており、さらに従来の財布のようなカード収納ポケットの厚みが加わることがないため、従来の財布のように必要以上に厚くなることはない。
【００１０】
カードホルダー４の底部と中央部２の底部とは、バネ機構５を介して接続されており、このバネ機構により、紙幣はカードホルダー４と中央部との間に挟持される。
バネ機構の詳細を図２の模式図に示す。
バネ機構５はコの字状部分とこれに連なる２個のＬ字状部分からなる弾性体により構成されている。そしてコの字状部分は、一部を残して財布の中央部２の中に埋設される。また２個のＬ字状部分は、一部を残してカードホルダー４の袖部の中に埋設される。
【００１１】
カードホルダー４の前面の一部は切り欠かれており、この切り欠かれた部分に隣接してカードホルダーの両側面から前面に延出した袖部９が設けられている。この切り欠かれた部分からカードを操作することにより、カードホルダーに収納されているカードは両袖部に沿って引き上げることができ、簡単に取り出すことができる。
【００１２】
上記カードホルダーのカード挿入部６の一部にはカードの落下防止のためのストッパー７が設けられている。このストッパーは、袖部に埋設されたバネ機構と相俟ってカードの落下を防止している。
【００１３】
さらに財布の折り返し部３の一方には、折りたたみ時に他方の折り返し部３及び中央部２を結束する弾性部材であるゴムバンドが設けられている。このゴムバンドにより、紙幣の多寡によらず財布を有効に結束できる。
【００１４】
（実施例）
図３〜５は、本案に従って製作した財布の一実施例の写真を示すものである。
図３は、財布の内側展開写真であり、中央部にカードホルダー及びバネ機構が見えており、またその両側には折り返し部が見えている。
図４は、財布の外側展開写真であり、左端に弾性部材であるゴムバンドが見えている。
図５は、財布を折りたたんだ状態の写真である。財布は弾性部材であるゴムバンドにより結束されており、カードサイズ程度の大きさにたたまれていることが分かる。
【符号の説明】
【００１５】
１  財布
２  中央部
３  折り返し部
４  カードホルダー
５  バネ機構
６  カード挿入部
７  ストッパー
８  ゴムバンド
９  袖部
【図１】
0003165308.tif 000003
【図２】
0003165308.tif 000004
【図３】
0003165308.tif 000005
【図４】
0003165308.tif 000006
【図５】
0003165308.tif 000007